(57)【要約】【課題】  位置決め時の操作工程を簡略化し、作業効率を高める。【解決手段】  このミシンの位置決めガイド装置には係止部材及び被係止部材の両側面に当接する当接位置と退避位置とにミシンベッド上を水平移動する一対のサイドガイドを有している。このサイドガイドには、当接位置にある一対のサイドガイドの間に係止部材又は被係止部材がミシンヘッドに沿って進入載置される際に、一対のサイドガイドに挟まれた係止部材若しくは被係止部材の先端面に当接するストッパと、係止部材若しくは被係止部材の浮き上がりを防止するために、ストッパの側方で進入方向における手前側に向けて斜め上方に延出する第１防止部とが、進入方向に対して位置調整自在に備えられている。そして、第１防止部の先端には、進入方向手前側斜め下方に向けて延出する爪部が設けられている。【選択図】        図１
2006314465.tif 000002
【特許請求の範囲】
【請求項１】
ブラジャーのベルトの一端部に取り付けられる係止部材及び前記ベルトの他端部に取り付けられる被係止部材の両側面に当接する当接位置と該当接位置から隔離する退避位置とにミシンベッド上を水平移動する一対のサイドガイドを有し、
前記サイドガイドは、
前記当接位置にある前記一対のサイドガイドの間に前記係止部材又は前記被係止部材がミシンヘッドに沿って進入載置される際に、前記一対のサイドガイドに挟まれた前記係止部材若しくは前記被係止部材の先端面に当接するストッパと、
前記係止部材若しくは前記被係止部材の浮き上がりを防止するために、前記ストッパの側方で前記係止部材若しくは前記被係止部材の進入方向における手前側に向けて斜め上方に延出する第１防止部とを、前記進入方向に対して位置調整自在に備え、
前記第１防止部の先端には、前記進入方向手前側斜め下方に向けて延出する爪部が設けられていることを特徴とするミシンの位置決めガイド装置。
【請求項２】
請求項１記載のミシンの位置決めガイド装置において、
前記サイドガイドは、
前記係止部材が進入載置される際に前記係止部材の基端面が当接するように、前記進入方向手前側に前記ストッパに対向して配置される係止部材用当接部と、
前記被係止部材が進入載置される際に前記被係止部材の基端面が当接するように、前記係止部材用当接部よりも前記進入方向手前側に前記ストッパに対向して配置される被係止部材用当接部とを備えていることを特徴とするミシンの位置決めガイド装置。
【請求項３】
ブラジャーのベルトの一端部に取り付けられる係止部材及び前記ベルトの他端部に取り付けられる被係止部材の両側面に当接する当接位置と該当接位置から隔離する退避位置とにミシンベッド上を水平移動する一対のサイドガイドを有し、
前記サイドガイドは、
前記当接位置にある前記一対のサイドガイドの間に前記係止部材又は前記被係止部材がミシンヘッドに沿って進入載置される際に、前記一対のサイドガイドに挟まれた前記係止部材若しくは前記被係止部材の先端面に当接するストッパと、
前記係止部材が進入載置される際に前記係止部材の基端面が当接するように、前記進入方向手前側に前記ストッパに対向して配置される係止部材用当接部と、
前記被係止部材が進入載置される際に前記被係止部材の基端面が当接するように、前記係止部材用当接部よりも前記進入方向手前側に前記ストッパに対向して配置される被係止部材用当接部とを備えていることを特徴とするミシンの位置決めガイド装置。
【請求項４】
請求項２又は３記載のミシンの位置決めガイド装置において、
前記係止部材用当接部及び前記被係止部材用当接部の少なくとも一方の上面には、前記係止部材及び被係止部材の進入方向に対して上方に傾く傾斜面が設けられていることを特徴とするミシンの位置決めガイド装置。
【発明の詳細な説明】
【技術分野】
【０００１】
本発明は、ミシンの位置決めガイド装置に係り、特にブラジャーのくるみ縫いミシンに適用されるミシンの位置決めガイド装置に関する。
【背景技術】
【０００２】
ブラジャーの縫製工程の中には、ベルトの両端部のそれぞれに係止部材及び当該係止部材が係止される被係止部材を縫い付けるくるみ縫い工程がある。くるみ縫い工程では、図１３（ａ）に示すように、ホック１０１が予め固定された係止部材１０２が、身頃と呼ばれるベルトの一端部１０３に、左右下辺がジグザグ縫いされることでオカン１０４が縫製される。また、図１３（ｂ）に示すように、係止孔１０５が予め固定された被係止部材１０６が、ベルトの他端部１０７に、左右下辺がジグザグ縫いされることでメカン１０８が縫製される。つまり、くるみ縫い工程では、ベルトの一端部１０３と係止部材１０２との位置決め、ベルトの他端部１０７と被係止部材１０６との位置決めを確実に行わなければ、オカン１０４、メカン１０８の取付強度が保てなくなってしまう上に見栄えが悪くなってしまう。
【０００３】
ここで、従来のくるみ縫いミシンにおいては、ベルトの一端部１０３と係止部材１０２との位置決め、ベルトの他端部１０７と被係止部材１０６との位置決めを行う位置決めガイド装置が搭載されている。この位置決めガイド装置には、係止部材１０２若しくは被係止部材１０６を保持する保持板（位置決め板）が設けられており、この保持板で係止部材１０２若しくは被係止部材１０６を保持することで、これらの位置決めが行われる。ここで、係止部材１０２若しくは被係止部材１０６の下端部は、ベルトの一端部１０３及び他端部１０７を挟めるように、縫い付けられておらず開放している。この開放部分にベルトの一端部１０３及び他端部１０７を挟んで重ね合わせれば、くるみ縫い工程におけるベルトの一端部１０３と係止部材１０２との位置決め、ベルトの他端部１０７と被係止部材１０６との位置決めが完了されるようになっている（例えば、特許文献１、２参照）。
【０００４】
図１４及び図１５に示すくるみ縫いミシン２００の位置決めガイド装置２０１であると、上述した保持板２０２は、下板２０３に嵌め込まれている。なお、保持板２０２と下板２０３とは、補助板２３０に支持されている。また、位置決めガイド装置２０１には、保持板２０２に支持され位置決めされた係止部材１０２若しくは被係止部材１０６を上方から押さえる部材押さえ２０４が昇降自在に設けられている。この部材押さえ２０４には、係止部材１０２を押さえるオカン用部材押さえと、被係止部材１０６を押さえるメカン用部材押さえとがあり、位置決めガイド装置２０１に対して交換できるように設けられている（図１５ではメカン用部材押さえ２０４を例示）。さらに位置決めガイド装置２０１には、部材押さえ２０４によって押さえられた係止部材１０２若しくは被係止部材１０６をさらに押さえるための布押さえ２０６がある。この布押さえ２０６にも、係止部材１０２を押さえるオカン用押さえと、被係止部材１０６を押さえるメカン用押さえとがあり、位置決めガイド装置２０１に対して交換可能となっている（図１５ではメカン用押さえ２０５を例示）。さらに、位置決めガイド装置２０１には係止部材１０２若しくは被係止部材１０６に重ね合わされたベルトの一端部１０３及び他端部１０７を押さえる補助押さえ２０７が設けられている。補助押さえ２０７は、布押さえ２０６近傍で回転自在に支持される基端部２０８と、Ｈ型部材からなる先端部２０９とを備えており、先端部２０９がベルトの上方に位置するまで回転してから、下降することでベルトの一端部１０３及び他端部１０７を押さえるようになっている。これら部材押さえ２０４、布押さえ２０６及び補助押さえ２０７は図示しないペダルなどのスイッチによって個別に昇降駆動するようになっている。
【０００５】
ここで、保持板２０２について説明すると、保持板２０２には図１６（ａ）に示すオカン用保持板２１１と、図１６（ｂ）に示すメカン用保持板２２１とがある。
オカン用保持板２１１には、図１６（ａ）に示すように、係止部材１０２の取付部分であるベルトの一端部１０３と同幅に開口する溝部２１２が設けられている。また、オカン用保持板２１１には、溝部２１２の一端で上方に向かって延出する爪２１３が設けられている。この爪２１３が、係止部材１０２の先端に当接することで、係止部材１０２が先方にずれることを防止している。
【０００６】
メカン用保持板２２１には、図１６（ｂ）に示すように、被係止部材１０６の取付部分であるベルトの他端部１０７と同幅に開口する溝部２２２が設けられている。溝部２２２の両側端部は鋸歯状に形成されている。また、メカン用保持板２２１には、溝部２２２の一端で上方に向かって延出する爪２２３が設けられている。この爪２２３が、被係止部材１０６の先端に当接することで、被係止部材１０６が先方にずれることを防止している。
【０００７】
これらのことを基に、従来のくるみ縫い工程の位置決めについてメカン縫製時を例示して説明する。図１４及び図１５に示すように、先ず作業者は、被係止部材１０６をメカン用保持板２２１にセットしてから、ペダルを操作してメカン用補助押さえ２１１を下降させる。その後、作業者はベルトの他端部１０７を被係止部材１０６に重ね合わせて、ペダルを操作して、順次メカン用押さえ２０５、補助押さえ２０７を下降させる。これにより、位置決めが完了して、くるみ縫いが行われるようになっている。
【特許文献１】特公平７−７３６３５号公報
【特許文献２】実用新案登録第２５４３２０１号公報
【発明の開示】
【発明が解決しようとする課題】
【０００８】
ところで、係止部材１０２、被係止部材１０６のサイズは、ブラジャーのサイズや種類などによって様々なものが用意されているが、従来の位置決めガイド装置であっては、いずれの係止部材１０２、被係止部材１０６であっても位置決めできるように用意しなければならなかった。このため、種類やサイズが異なる度にそれぞれ専用の保持板２０２を準備する必要があり、場合によっては新たな保持板の製作から始めなければならず、サイズの変更に迅速に対応できないばかりか、多数の保持板の中から適応したサイズのものを選択する煩わしさや、そのためのミスも発生しやすく、作業効率が低下し、またコストも増大した。
また、位置決め時においても、部材押さえ２０４、布押さえ２０６及び補助押さえ２０７を個別にペダルで操作しなければならず、作業者の負担になっていた。
【０００９】
本発明の課題は、メカン用補助押さえを省略したとしても係止部材若しくは被係止部材に対する押さえを可能としたり、保持板や布押さえなどの部材を種類やサイズが異なる毎に準備しなくても複数サイズの係止部材若しくは被係止部材の位置決めを可能としたりすることで、位置決め時の操作工程を簡略化し、作業効率を高めることである。
【課題を解決するための手段】
【００１０】
請求項１記載の発明におけるミシンの位置決めガイド装置は、
ブラジャーのベルトの一端部に取り付けられる係止部材及び前記ベルトの他端部に取り付けられる被係止部材の両側面に当接する当接位置と該当接位置から隔離する退避位置とにミシンベッド上を水平移動する一対のサイドガイドを有し、
前記サイドガイドは、
前記当接位置にある前記一対のサイドガイドの間に前記係止部材又は前記被係止部材がミシンヘッドに沿って進入載置される際に、前記一対のサイドガイドに挟まれた前記係止
部材若しくは前記被係止部材の先端面に当接するストッパと、
前記係止部材若しくは前記被係止部材の浮き上がりを防止するために、前記ストッパの側方で前記係止部材若しくは前記被係止部材の進入方向における手前側に向けて斜め上方に延出する第１防止部とを、前記進入方向に対して位置調整自在に備え、
前記第１防止部の先端には、前記進入方向手前側斜め下方に向けて延出する爪部が設けられていることを特徴としている。
【００１１】
請求項１記載の発明によれば、一対のサイドガイドが当接位置において係止部材若しくは被係止部材の両側面に当接することで、係止部材若しくは被係止部材の幅方向へのズレを規制している。また、ストッパが、サイドガイドに挟まれた係止部材若しくは被係止部材の先端面に当接することで、係止部材若しくは被係止部材の先方へのズレを規制している。これにより、係止部材若しくは被係止部材の水平方向の位置決めが行われることになる。また、第１防止部が手前側に向けて斜め上方に延出しているので、この第１防止部によって係止部材若しくは被係止部材の先端を押さえつけることができ、当該先端の浮き上がりを防止することも可能となる。ここで、係止部材は折り曲げられた状態で縫製されるために、折り曲げられた係止部材を第１防止部により押さえつけたとしても、広がろうとする力により係止部材が手前側にずれてしまうおそれがある。しかしながら、第１防止部の先端には、前記進入方向手前側斜め下方に向けて延出する爪部が設けられているので、係止部材がずれようとしてもその爪部が引っかかることになって、係止部材のずれを防止することができる。
【００１２】
また、ストッパ及び第１防止部が進入方向に対して位置調整自在に設けられているので、係止部材若しくは被係止部材のサイズが変化したとしても、その変化に対応させてストッパ及び第１防止部の位置を調整することができる。
そして、ストッパ及び第１防止部はサイドガイドに設けられているので、サイドガイドが当接位置から退避位置に退避すれば、ストッパ及び第１防止部も一緒に退避することになる。
【００１３】
請求項２記載の発明は、請求項１記載のミシンの位置決めガイド装置において、
前記サイドガイドは、
前記係止部材が進入載置される際に前記係止部材の基端面が当接するように、前記進入方向手前側に前記ストッパに対向して配置される係止部材用当接部と、
前記被係止部材が進入載置される際に前記被係止部材の基端面が当接するように、前記係止部材用当接部よりも前記進入方向手前側に前記ストッパに対向して配置される被係止部材用当接部とを備えていることを特徴としている。
【００１４】
請求項２記載の発明によれば、係止部材若しくは被係止部材の基端部が係止部材用当接部及び被係止部材用当接部に接触するので、進入方向に対するずれをより確実に防止することができる。また、ストッパと係止部材用当接部とが所定の間隔を開けて配置されているので、係止部材の基端面に係止部材用当接部を当接させると、その間隔を基準にして当該係止部材が基準サイズに対してばらついているか否かを目視により確認することができる。
一方、ストッパと被係止部材用当接部とが所定の間隔よりも広い間隔を開けて配置されているので、被係止部材の基端面に被係止部材用当接部を当接させると、その間隔を基準にして当該被係止部材が基準サイズに対してばらついているか否かを目視により確認することができる。
さらに、係止部材用当接部及び被係止部材用当接部はサイドガイドに設けられているので、サイドガイドが当接位置から退避位置に退避すれば、係止部材用当接部及び被係止部材用当接部も一緒に退避することになる。
【００１５】
請求項３記載の発明におけるミシンの位置決めガイド装置は、
ブラジャーのベルトの一端部に取り付けられる係止部材及び前記ベルトの他端部に取り付けられる被係止部材の両側面に当接する当接位置と該当接位置から隔離する退避位置とにミシンベッド上を水平移動する一対のサイドガイドを有し、
前記サイドガイドは、
前記係止部材が進入載置される際に前記係止部材の基端面が当接するように、前記進入方向手前側に前記ストッパに対向して配置される係止部材用当接部と、
前記被係止部材が進入載置される際に前記被係止部材の基端面が当接するように、前記係止部材用当接部よりも前記進入方向手前側に前記ストッパに対向して配置される被係止部材用当接部とを備えていることを特徴としている。
【００１６】
請求項３記載の発明によれば、係止部材若しくは被係止部材が進入載置される際に係止部材若しくは被係止部材の基端面が係止部材用当接部及び被係止部材用当接部に当接するので、進入方向に対するずれを防止することができる。また、ストッパと係止部材用当接部とが所定の間隔を開けて配置されているので、係止部材の基端面に係止部材用当接部を当接させると、その間隔を基準にして当該係止部材が基準サイズに対してばらついているか否かを目視により確認することができる。
一方、ストッパと被係止部材用当接部とが所定の間隔よりも広い間隔を開けて配置されているので、被係止部材の基端面に被係止部材用当接部を当接させると、その間隔を基準にして当該被係止部材が基準サイズに対してばらついているか否かを目視により確認することができる。
また、係止部材用当接部及び被係止部材用当接部はサイドガイドに設けられているので、サイドガイドが当接位置から退避位置に退避すれば、係止部材用当接部及び被係止部材用当接部も一緒に退避することになる。
【００１７】
請求項４記載の発明は、請求項２又は３記載のミシンの位置決めガイド装置において、
前記係止部材用当接部及び前記被係止部材用当接部の少なくとも一方の上面には、前記係止部材及び被係止部材の進入方向に対して上方に傾く傾斜面が設けられていることを特徴としている。
【００１８】
請求項４記載の発明によれば、係止部材用当接部及び被係止部材用当接部の少なくとも一方の上面に傾斜面が設けられているので、係止部材や被係止部材を一対のサイドガイドの間に挿入する際、係止部材や被係止部材は傾斜面によって案内されるために、係止部材用当接部及び被係止部材用当接部に引っかかることを防止することができる。
【発明の効果】
【００１９】
本発明によれば、一対のサイドガイドが当接位置において係止部材若しくは被係止部材の両側面に当接することで、係止部材若しくは被係止部材の幅方向へのズレを規制している。また、ストッパが、サイドガイドに挟まれた係止部材若しくは被係止部材の先端面に当接することで、係止部材若しくは被係止部材の先方へのズレを規制している。これにより、係止部材若しくは被係止部材の水平方向の位置決めが行われることになる。また、第１防止部が手前側に向けて斜め上方に延出しているので、この第１防止部によって係止部材若しくは被係止部材の先端を押さえつけることができ、当該先端の浮き上がりを防止することも可能となる。つまり、従来のメカン用補助押さえのような昇降動作を省略したとしても被係止部材に対する押さえが可能となるために、この昇降動作に対応する操作工程を省略できる。したがって、位置決め時の操作工程が簡略化されて、作業効率が高められる。
【００２０】
ここで、係止部材は折り曲げられた状態で縫製されるために、折り曲げられた係止部材を第１防止部により押さえつけたとしても、広がろうとする力により係止部材が手前側に
ずれてしまうおそれがある。しかしながら、第１防止部の先端には、下方に向けて延出する爪部が設けられているので、係止部材がずれようとしてもその爪部が引っかかることになって、係止部材のずれを防止することができる。
【００２１】
そして、係止部材若しくは被係止部材の基端部が係止部材用当接部及び被係止部材用当接部に接触するので、進入方向に対するずれをより確実に防止することができる。
また、係止部材や被係止部材のサイズにバラツキがあったとしても、ストッパと係止部材用当接部との間隔及びストッパと被係止部材用当接部との間隔を基にして、そのバラツキを目視により確認することができるために、係止部材や被係止部材の位置決めが容易に行われることになり、結果的に作業効率が高められる。
【発明を実施するための最良の形態】
【００２２】
［基本形態］
以下、本発明にかかるミシンの位置決めガイド装置について、まず基本形態を例示して説明する。この基本形態における位置決めガイド装置１は、くるみ縫いミシンに搭載されており、ブラジャーのベルトの一端部１０３と係止部材１０２との位置決め、ベルトの他端部１０７と被係止部材１０６との位置決めを行う位置決めを行う（図１３参照）。
【００２３】
図１及び図２に示すように位置決めガイド装置１には、基台となる下板２がくるみ縫いミシンのミシンベッドの上に固定されるように設けられている。下板２の前端部２１には、図示しないくるみ縫いミシンの針板を臨む開口部２２が設けられている。これにより、ブラジャーのベルトの両端部１０３，１０７や、係止部材１０２、被係止部材１０６を、開口部２２を介して針板上に載置できるようになっている。また、開口部２２よりも前方にあたる上端面２３及び後方にあたる上端面２４には、位置決めの基準となる目盛り２５，２６が設けられている。これらの目盛り２５，２６は互いの目盛り線がそれぞれ対応するように平行に配置されている。
【００２４】
また、開口部２２の両側方にあたる下板２の上端面２７，２８には、水平方向に沿って開口部２２の内側で伸縮するシリンダロッド３ａ，４ａを備えたサイドガイド用シリンダ３，４と、サイドガイド用シリンダ３，４を下板２に固定する固定部３１，４１とが設けられている。固定部３１，４１にはサイドガイド用シリンダ３，４を支持して下板２にネジ止めされる支持板３１１，４１１が備えられている。この支持板３１１，４１１にはサイドガイド用シリンダ３，４の伸縮方向（図における左右方向）に沿う長孔３１２，４１２が形成されていて、この長孔３１２，４１２にネジ３２，４２が貫通されてから下板２にネジ止めされるようになっている。つまり、ネジ３２，４２をゆるめれば、長孔３１２，４１２の長さ分だけ、サイドガイド用シリンダ３，４を伸縮方向に沿って移動して、シリンダロッド３ａ，４ａ双方の間隔を調整することができるようになっている。
【００２５】
また、開口部２２内には、サイドガイド用シリンダ３，４にそれぞれ接続されて連動する一対のサイドガイド５，６が配置されている。サイドガイド用シリンダ３，４のシリンダロッド３ａ，４ａの最長時における一対のサイドガイド５，６の間隔は、上述したサイドガイド用シリンダ３，４の間隔調整により、位置決めされる係止部材１０２若しくは被係止部材１０６の幅と同じになるように設定することができる。これにより、サイドガイド用シリンダ３，４のシリンダロッド３ａ，４ａの最長時に係止部材１０２若しくは被係止部材１０６を前方から一対のサイドガイド５，６の間に進入させることが可能となる。この進入時においては、係止部材１０２若しくは被係止部材１０６は両側面を一対のサイドガイド５，６に当接させながら進入するようになっている。この進入後には、一対のサイドガイド５，６が係止部材１０２若しくは被係止部材１０６に最も接近していることになり、サイドガイド用シリンダ３，４によって一対のサイドガイド５，６双方の間隔が広がれば離間することになる。つまり、サイドガイド用シリンダ３，４のシリンダロッド３
ａ，４ａによって一対のサイドガイド５，６は、ミシンベッド上を係止部材１０２若しくは被係止部材１０６に当接する当接位置から、隔離する退避位置とに水平移動して、係止部材１０２若しくは被係止部材１０６に対し接離自在となっている。
【００２６】
サイドガイド５，６について詳細に説明すると、一対のサイドガイド５，６には、水平な水平部５１，６１と、水平部５１，６１の外側端部から上方に向けて垂直に延出して、サイドガイド用シリンダ３，４のシリンダロッド３ａ，４ａの先端に設けられたブロック体３ｂ，４ｂにネジ止めされる垂直部５２，６２とが設けられている。
水平部５１，６１には、垂直部５２，６２が延出する長板状の基板５１１，６１１と、基板５１１，６１１の後端部から内側に向けて延出する第１延出板５１２，６１２と、第１延出板５１２，６１２に平行になるように基板５１１，６１１の前端部から内側に向けて延出する第２延出板５１３，６１３とが設けられている。第１延出板５１２，６１２の内側面５１４，６１４と第２延出板５１３，６１３の内側面５１５，６１５とは前後方向に沿ってそれぞれ面一となるように形成されている。この第１延出板５１２，６１２の内側面５１４，６１４及び第２延出板５１３，６１３の内側面５１５，６１５が、係止部材１０２若しくは被係止部材１０６の両側面に当接することで、係止部材１０２若しくは被係止部材１０６の幅方向の位置決めを行うようになっている。
【００２７】
水平部５１，６１の第１延出板５１２，６１２には、一対のサイドガイド５，６に挟まれた係止部材１０２若しくは被係止部材１０６の位置を決めて押さえる第１規制部材７，８が設けられている。第１規制部材７，８には、第１延出板５１２，６１２にネジ止めされるネジ止め部７１，８１が設けられている。ネジ止め部７１，８１には、前後方向に沿う長孔７１１，８１１が形成されていて、この長孔７１１，８１１にネジ７２，８２が貫通されてから第１延出板５１２，６１２にネジ止めされるようになっている。つまり、ネジ７２，８２をゆるめれば、長孔７１１，８１１の長さ分だけ、第１規制部材７，８を前後方向に沿って移動させることができるようになっている。また、ネジ止めされることで第１規制部材７，８とサイドガイド５，６とは一定的に固定されている。
ネジ止め部７１，８１の前半部分は、その内側面７１２，８１２が第１延出板５１２，６１２の内側面５１４，６１４と面一になっているが、ネジ止め部７１，８１の後半部分は前半部分よりも内側に張り出している。この張り出し部７１３，８１３の前端部には、垂直になるように下方に向けて延出するストッパ７１４，８１４と、ストッパ７１４，８１４の内側で斜め上方に傾くように前方に延出する第１防止部７１５，８１５とが設けられている。
【００２８】
水平部５１，６１の第２延出板５１３，６１３には、図１に示すように、一対のサイドガイド５，６に挟まれた被係止部材１０６を押さえる第２規制部材７１６，８１６が設けられている。第２規制部材７１６，８１６には、第２延出板５１３，６１３にネジ止めされるネジ止め部７１７，８１７が設けられている。ネジ止め部７１７，８１７には、図示しない貫通孔が形成されていて、この貫通孔にネジ７３，８３が貫通されてから第２延出板５１３，６１３にネジ止めされるようになっている。このように、ネジ止めされることで第２規制部材７１６，８１６とサイドガイド５，６とは一定的に固定されている。また、ネジ止め部７１７，８１７には、第２延出板５１３，６１３よりも内側に張り出して、斜め上方に傾くように前方に延出する第２防止部７１８，８１８が設けられている。
【００２９】
図３に示すように、第１規制部材７，８の第１防止部７１５，８１５と、第２規制部材７１６，８１６の第２防止部７１８，８１８とは、平行に斜め上方に傾いている。この角度αは水平面から例えば４５度に設定されている。ここで、ストッパ７１４，８１４の長さＬは、下板２の下方に位置する図示しないくるみ縫いミシンの針板と干渉しない長さに設定されている。また、針板と第１防止部７１５，８１５との間隔は、係止部材１０２及び被係止部材１０６の進入が可能なように、針板と第２防止部７１８，８１８との間隔は
被係止部材１０６の進入が可能なように、それぞれ係止部材１０２及び被係止部材１０６の厚みよりも大きく設定されている。
そして、針板に沿いながら一対のサイドガイド５，６の間に係止部材１０２若しくは被係止部材１０６が進入してくると、先ず係止部材１０２若しくは被係止部材１０６の先端は、第２防止部７１８，８１８の下面（当接面）７１８ａ，８１８ａに当接してから、第１防止部７１５，８１５の下面（当接面）７１５ａ，８１５ａに当接し、その後ストッパ７１４，８１４に当接するようになっている。つまり、第２防止部７１８，８１８は、被係止部材１０６を第２規制部材７１６，８１６の下方に案内するように、被係止部材１０６の進入方向に対向して、斜め上方に延出している。
【００３０】
ここで、本基本形態では、被係止部材１０６の先端がストッパ７１４，８１４に当接した際に、被係止部材１０６の開放部分の付け根近傍に、第２防止部７１８，８１８が位置するように配置されている。これにより、被係止部材１０６の開放部分でベルトの他端部１０７を挟むときにスムーズに開放部分を開くことができる。
なお、係止部材１０２の先端がストッパ７１４，８１４に当接した際に、係止部材１０２の開放部分の付け根近傍に、第１防止部７１５，８１５が位置するように配置されていてもよい。
【００３１】
次に図１及び図２に示すように下板２の後端部上方には、下板２と平行なベース板９がくるみ縫いミシンに固定されるように設けられている。このベース板９には、係止部材１０２にセットされたベルトの一端部１０３若しくは被係止部材１０６にセットされたベルトの他端部１０７を押さえる補助押さえ９１が設けられている。補助押さえ９１には、伸縮自在な補助押さえ用シリンダ９２と、補助押さえ用シリンダ９２をベース板９に固定する固定部９３と、補助押さえ用シリンダ９２の伸縮運動を回転運動に変換する変換部９４と、変換部９４の回転運動を基に回転する回転軸９５と、回転軸９５を中心に回転することで下板２の上端面２３若しくは針板に昇降・接離する補助押さえ部９６とが設けられている。この補助押さえ部９６が下板２の上端面２３若しくは針板に向かって下降接近することで、上端面２３若しくは針板上に載置されたベルトの両端部１０３，１０７が押さえられるようになっている。補助押さえ部９６は、前後方向に移動自在となるように回転軸９５に固定されている。ベルトの他端部を押さえる場合は補助押さえ９１を後方へ移動させ固定し、下板補助板９８と補助押さえ部９６とで押さえるようになっている。
【００３２】
下板２の中央部上方には、一対のサイドガイド５，６によって位置決めされた係止部材１０２若しくは被係止部材１０６を押さえる部材押さえ１３が設けられている。この部材押さえ１３は、上下方向に伸縮する部材押さえ用シリンダ１１によって昇降されるようになっている（図４参照）。部材押さえ１３には、部材押さえ用シリンダ１１に連結される本体部１３１と、本体部１３１に支持されて係止部材１０２若しくは被係止部材１０６を押さえる一対の押さえ腕１３２とが設けられている。
【００３３】
一対の押さえ腕１３２の一端部には、係止部材１０２を押さえるための係止部材用押さえ部１３３が形成されていて、他端部には被係止部材１０６を押さえるための被係止部材用押さえ部１３４が形成されている。そして、この一対の押さえ腕１３２は、係止部材用押さえ部１３３及び被係止部材用押さえ部１３４が前方に位置するか否かを切り替え可能に本体部１３１に支持されている。つまり、係止部材１０２を押さえる場合には係止部材用押さえ部１３３が前方に位置して被係止部材用押さえ部１３４が後方に位置することになり、被係止部材を押さえる場合には被係止部材用押さえ部１３４が前方に位置して係止部材用押さえ部１３３が後方に位置するように切り替えられる。
【００３４】
次に、位置決めガイド装置１の主制御構成について図４を参照にしながら説明する。図４に示すように、位置決めガイド装置１には、各駆動部を制御する制御部１２が設けられ
ている。制御部１２には、部材押さえ用シリンダ１１を駆動させる部材押さえ用スイッチ１４と、補助押さえ用シリンダ９２を駆動させる補助押さえ用スイッチ１５と、位置決めの完了を伝える縫製開始スイッチ１６と、サイドガイド用シリンダ３，４と、補助押さえ用シリンダ９２と、部材押さえ用シリンダ１１と、がＩ／Ｏポート１７を介して電気的に接続されている。また、制御部１２には、記憶部１８と、メモリスイッチ１９と、くるみ縫いミシン３００の主軸モータドライバ３０１と、Ｘ／Ｙモータドライバ３０２とが電気的に接続されている。そして、制御部１２は、記憶部１８中に書き込まれている制御プログラムや制御データに従い各種機器を制御するようになっている。
【００３５】
以下、本基本形態の位置決めガイド装置の作用について説明する。
【００３６】
先ず、ベルトの一端部１０３と係止部材１０２とを縫製する場合、作業者は図２に示すように、部材押さえ１３における一対の押さえ腕１３２の係止部材用押さえ部１３３を前方に位置させる。また、作業者は第２規制部材７１６，８１６をサイドガイド５，６から取り外しておき、さらに補助押さえ９１の補助押さえ部９６を係止部材１０２の押さえが可能な位置まで移動させておく。その後、作業者はこれから縫い付けられる係止部材１０２を基に、一対のサイドガイド５，６の間隔及びストッパ７１４，８１４の位置を調整する。
【００３７】
一対のサイドガイド５，６の間隔調整時においては、作業者は係止部材１０２の幅に合う目盛り２５，２６の目盛り線上に、第１延出板５１２，６１２の内側面５１４，６１４及び第２延出板５１３，６１３の内側面５１５，６１５が位置するように、サイドガイド用シリンダ３，４を伸縮方向に移動させる。なお、この間隔調整時においてはサイドガイド用シリンダ３，４が最も伸びた状態（最長時）になっている。
一方、ストッパ７１４，８１４の位置調整時においては、作業者は縫製時の係止部材１０２の先端にストッパ７１４，８１４が位置するように第１規制部材７，８を前後方向に移動させる。
【００３８】
調整が完了すると、作業者は、係止部材１０２を前方からくるみ縫いミシン３００のミシンベット上の針板に沿わせながら、サイドガイド用シリンダ３，４の最長時における一対のサイドガイド５，６の間に進入させる。ここで、本基本形態の係止部材１０２は、被係止部材１０６の先端から開放部分の付け根までの長さよりも短いために、サイドガイド５，６における第２延出板５１３，６１３の内側面５１５，６１５に当接させながら進入させなくとも、サイドガイド５，６における第１延出板５１２，６１２の内側面５１４，６１４だけに当接させながら進入させることが可能である。この進入時には、係止部材１０２の先端が第１防止部７１５，８１５の下面７１５ａ，８１５ａに当接してから、ストッパ７１４，８１４に当接するので、作業者は係止部材１０２とストッパ７１４，８１４との当接が確認されたら進入を停止させる。これで、係止部材１０２の位置決めが完了する。
【００３９】
係止部材１０２が位置決めされると、作業者は係止部材１０２の開放部分にベルトの一端部１０３を挟んで重ね合わせてから、部材押さえ用スイッチ１４を操作する。この際、第１防止部７１５，８１５は係止部材１０２の上面に当接しているので、係止部材１０２の浮き上がりを防止している。この操作に基づいて制御部１２は、部材押さえ用シリンダ１１を駆動させて、一対の押さえ腕１３２の係止部材用押さえ部１３３が係止部材１０２の先端部を押さえるまで部材押さえ１３を下降させる。
【００４０】
そして、作業者は補助押さえ用スイッチ１５を操作する。この操作に基づいて制御部１２は、補助押さえ用シリンダ９２を駆動させて、補助押さえ９１の補助押さえ部９６がベルトの一端部１０３を押さえるまで、回転軸９５を回転させる。これにより、図２に示す
ように係止部材１０２が一対のサイドガイド５，６に挟まれた状態で、係止部材１０２は部材押さえ１３３に押さえられるとともに、ベルトの一端部１０３は補助押さえ９１におさえられる。
【００４１】
このように、係止部材１０２及びベルトの一端部１０３が押さえられて固定されると、縫製を開始するために作業者は縫製開始スイッチ１６を操作する。この操作に基づいて制御部１２は、くるみ縫いミシン３００の主軸モータドライバ３０１及びＸ／Ｙモータドライバ３０２に縫製開始の指示を与えるとともに、サイドガイド用シリンダ３，４のシリンダロッド３ａ，４ａを収縮させる。サイドガイド用シリンダ３，４が収縮されると、この収縮に伴って図５に示すようにサイドガイド５，６が外側へと水平に沿って移動することになる。つまり、第１規制部材７，８も水平に沿って移動するために、ストッパ７１４，８１４及び第１防止部７１５，８１５の垂直方向の位置は維持された状態で、サイドガイド５，６は、サイドガイド５，６が係止部材１０２に当接する当接位置から、隔離した退避位置、すなわち針棒の上下動経路から隔離した位置に退避する。これにより、サイドガイド５，６がくるみ縫いの邪魔になることなく、係止部材１０２及びベルトの一端部１０３を縫製できる。
【００４２】
次に、ベルトの他端部１０７と被係止部材１０６とを縫製する場合について説明する。この場合、作業者は図６に示すように、部材押さえ１３における一対の押さえ腕１３２の被係止部材用押さえ部１３４を前方に位置させる。また、作業者は第２規制部材７１６，８１６をサイドガイド５，６に取り付けておき、さらに補助押さえ９１の補助押さえ部９６をベルトの他端部１０７の押さえが可能な位置まで移動させておく。その後、作業者はこれから縫い付けられる被係止部材１０６を基に、係止部材１０２の場合と同様の手順で、一対のサイドガイド５，６の間隔及びストッパ７１４，８１４の位置を調整する。
【００４３】
調整が完了すると、作業者は、被係止部材１０６を前方からくるみ縫いミシン３００のミシンベッド上の針板に沿わせながら、サイドガイド用シリンダ３，４の最長時における一対のサイドガイド５，６の間に進入させる。ここで、被係止部材１０６は、サイドガイド５，６における第２延出板５１３，６１３の内側面５１５，６１５及び第１延出板５１２，６１２の内側面５１４，６１４を当接させながら進入させる。この進入時には、係止部材１０２の先端が、第２防止部７１８、８１８の下面７１８ａ，８１８ａに当接してから、第１防止部７１５，８１５の下面７１５ａ，８１５ａに当接し、その後ストッパ７１４，８１４に当接するので、作業者は被係止部材１０６とストッパ７１４，８１４との当接が確認されたら進入を停止させる。これで、被係止部材１０６の位置決めが完了する。
【００４４】
被係止部材１０６が位置決めされると、作業者は被係止部材１０６の開放部分にベルトの他端部１０７を挟んで重ね合わせてから、部材押さえ用スイッチ１４を操作する。この際、第１規制部材７，８の第１防止部７１５，８１５及び第２規制部材７１６，８１６の第２防止部７１８，８１８は、被係止部材１０６の上面に当接しているので、被係止部材１０６の浮き上がりを防止している。この操作に基づいて制御部１２は、部材押さえ用シリンダ１１を駆動させて、一対の押さえ腕１３２の被係止部材用押さえ部１３４が被係止部材１０６の先端部を押さえるまで部材押さえ１３を下降させる。
【００４５】
その後、作業者は、補助押さえ用スイッチ１５を操作する。この操作に基づいて制御部１２は、補助押さえ用シリンダ９２を駆動させて、補助押さえ９１の補助押さえ部９６がベルトの他端部１０７を押さえるまで、回転軸９５を回転させる。これにより、図６に示すように被係止部材１０６が一対のサイドガイド５，６に挟まれた状態で、被係止部材１０６は部材押さえ１３３に押さえられるとともに、ベルトの他端部１０７は補助押さえ９１におさえられる。
【００４６】
このように、被係止部材１０６及びベルトの他端部１０７が押さえられて固定されると、縫製を開始するために作業者は縫製開始スイッチ１６を操作する。この操作に基づいて制御部１２は、くるみ縫いミシン３００の主軸モータドライバ３０１及びＸ／Ｙモータドライバ３０２に縫製開始の指示を与えるとともに、サイドガイド用シリンダ３，４を収縮させる。サイドガイド用シリンダ３，４が収縮されると、この収縮に伴って図７に示すようにサイドガイド５，６が外側へと移動することになる。つまり、第１規制部材７，８及び第２規制部材７１６，８１６も水平に沿って移動するために、ストッパ７１４，８１４、第１防止部７１５，８１５及び第２防止部７１８，８１８の垂直方向の位置は維持された状態で、サイドガイド５，６は、サイドガイド５，６が被係止部材１０６に当接する当接位置から、隔離した退避位置、すなわち針棒の上下動経路から隔離した位置に退避する。これにより、サイドガイド５，６がくるみ縫いの邪魔になることなく、被係止部材１０６及びベルトの他端部１０７を縫製できる。
［実施の形態］
【００４７】
ここで、係止部材１０２の位置決め時においては、図８に示すように係止部材１０２が折り曲げられて第１規制部材７，８のストッパ７１４，８１４に当接する（図８の一点鎖線部１０２Ａ）ものの、広がろうとする力（復元力）により係止部材１０２が手前側にずれる場合もある。これを防止するために上記の基本形態の位置決めガイド装置１を踏まえて本発明の実施の形態にかかる位置決めガイド装置１Ａについて説明する。なお、以下の説明において基本形態の位置決めガイド装置１と同一の部分においては同一の符号を付してその説明を省略する。
【００４８】
図９は、位置決めガイド装置１Ａの概略構成を示す斜視図であり、図１０は位置決めガイド装置１Ａの第１規制部材７ａ，８ａを表す側面図である。この図１０に示すように、第１規制部材７ａ，８ａの第１防止部７１５，８１５の先端には、進入方向手前側斜め下方に向けて延出する爪部７１９，８１９が設けられている。この爪部７１９，８１９と第１防止部７１５，８１５との角度Ａ１は、例えば９０度に設定されているとともに、先端が鋭角状となるように形成されている。
【００４９】
図１２はサイドガイド５，６を表す斜視図である。この図１２に示すように、サイドガイド５，６の第１延出板５１２，６１２の前端部には、係止部材１０２の配置個所の基準となる係止部材用当接部５１６，６１６が内側に向けて延出するように設けられている。これにより係止部材用当接部５１６，６１６は、進入方向手前側にストッパ７１４，８１４に対向して配置されることになり、係止部材１０２が進入載置される際に係止部材１０２の基端面に当接するようになる。そして、係止部材用当接部５１６，６１６は、第１延出板５１２，６１２よりも薄く形成されている。また、図１０及び図１２に示すように、係止部材用当接部５１６，６１６の上面には、係止部材１０２及び被係止部材１０６の進入方向に対して上方に傾く傾斜面５１６ａ，６１６ａが設けられている。
【００５０】
一方、図１２に示すように、サイドガイド５，６の第２延出板５１３，６１３の前端部には、被係止部材１０６の配置個所の基準となる被係止部材用当接部５１７，６１７が内側に向けて延出するように設けられている。これにより、被係止部材用当接部５１７，６１７は、係止部材用当接部５１６，６１６よりも進入方向手前側でストッパ７１４，８１４に対向して配置されることになり、被係止部材１０６が進入載置される際に被係止部材１０６の基端面に当接するようになる。そして、被係止部材用当接部５１７，６１７は、第２延出板５１３，６１３よりも薄く形成されている。また、係止部材用当接部５１６，６１６と同様に、被係止部材用当接部５１７，６１７の上面には、係止部材１０２及び被係止部材１０６の進入方向に対して上方に傾く傾斜面５１７ａ，６１７ａが設けられている。
【００５１】
ここで、図９に示すようにストッパ７１４，８１４は、ネジ止め部７１，８１の長孔７１１，８１１とネジ７２，８２によって前後方向、つまり係止部材１０２及び被係止部材１０６の進入方向に対して位置調整自在であるので、ストッパ７１４，８１４と係止部材用当接部５１６，６１６との間隔、ストッパ７１４，８１４と被係止部材用当接部５１７，６１７との間隔を調整できるようになっている。
【００５２】
次に、本実施形態の位置決めガイド装置１Ａの作用について説明する。なお、以下においては、係止部材１０２若しくは被係止部材１０６の位置決め工程について説明し、他の工程は上記した基本形態と同様である。
【００５３】
まず、作業者は、これから縫製する係止部材１０２若しくは被係止部材１０６のサイズに合わせて、第１規制部材７ａ，８ａを進入方向に位置調整し、係止部材用当接部５１６，６１６とストッパ７１４，８１４の間隔若しくは被係止部材用当接部５１７，６１７とストッパ７１４，８１４の間隔を調整する。この調整は、係止部材１０２若しくは被係止部材１０６の先端面をストッパ７１４，８１４に突き当てた状態で、係止部材１０２の基端面が係止部材当接部５１６，６１６に当接するように、若しくは被係止部材１０６の基端面が被係止部材用当接部５１７，６１７に当接するように、それぞれ係止部材１０２と被係止部材１０６とに対して行われる。
【００５４】
その後、作業者は、係止部材１０２若しくは被係止部材１０６を前方からくるみ縫いミシン３００のミシンベッド上の針板に沿わせながら、サイドガイド用シリンダ３，４の最長時における一対のサイドガイド５，６の間に進入させる。この際、係止部材１０２及び被係止部材１０６は、係止部材用当接部５１６，６１６の傾斜面５１６ａ，６１６ａ、被係止部材用当接部５１７，６１７の傾斜面５１７ａ，６１７ａに沿ってストッパ７１４，８１４と当接するまで案内される。ここで、係止部材１０２が基準サイズに対してばらついていないものであったら図１０に示すように、係止部材１０２の先端面がストッパ７１４，８１４に接触して、基端面が係止部材用当接部５１６，６１６に接触することになる。
【００５５】
しかしながら、基準サイズよりも小さい係止部材１０２であると隙間が生じることになる。この場合、係止部材１０２の基端面を係止部材用当接部５１６，６１６に接触させて、ストッパ７１４，８１４側に隙間を形成させると、基準サイズよりも小さいものであっても正規の位置に縫製することができる。また、隙間が大きすぎる場合には作業者はその係止部材１０２が不良であると判断する。
【００５６】
一方、基準サイズよりも大きい係止部材１０２であると係止部材用当接部５１６，６１６とストッパ７１４，８１４との間隔に収まらないことになる。この場合、係止部材１０２を間隔内に押し込めると、基準サイズよりも大きいものであっても正規の位置に縫製することができる。また、係止部材１０２を間隔内に押し込められない場合には作業者はその係止部材１０２が不良であると判断する。
【００５７】
そして、図１０に示すように係止部材１０２は折り曲げられて第１規制部材７，８のストッパ７１４，８１４に当接するが、係止部材１０２の基端部は係止部材用当接部５１６，６１６に接触し、さらに、爪部７１９，８１９が係止部材１０２に引っかかるので、係止部材１０２が前方へずれることが防止されることになる。
【００５８】
その後、縫製が行われて係止部材１０２が縫い合わされると、爪部７１９，８１９との引っかかりが解消されるために、縫製後の係止部材１０２を前方へ取り出す際にもスムーズに引き抜くことができる。
【００５９】
また、被係止部材１０６の場合も同様に基準サイズに対してばらついていないものであったら、被係止部材１０６の先端面がストッパ７１４，８１４に接触して、基端面が被係止部材用当接部５１７，６１７に接触することになる。
【００６０】
しかしながら、基準サイズよりも小さい被係止部材１０６であると隙間が生じることになる。この場合、被係止部材１０６の基端部を被係止部材用当接部５１７，６１７に接触させて、ストッパ７１４，８１４側に隙間を形成させると、基準サイズよりも小さいものであっても正規の位置に縫製することができる。また、隙間が大きすぎる場合には作業者はその被係止部材１０６が不良であると判断する。
【００６１】
一方、基準サイズよりも大きい被係止部材１０６であると被係止部材用当接部５１７，６１７とストッパ７１４，８１４との間隔に収まらないことになる。この場合、被係止部材１０６を間隔内に押し込めると、基準サイズよりも大きいものであっても正規の位置に縫製することができる。また、被係止部材１０６を間隔内に押し込められない場合には作業者はその被係止部材１０６が不良であると判断する。
【００６２】
以上のように、本実施形態の位置決めガイド装置１Ａによれば、一対のサイドガイド５，６が係止部材１０２若しくは被係止部材１０６の両側面に当接することで、係止部材１０２若しくは被係止部材１０６の幅方向へのズレを規制している。また、サイドガイド５，６に備えられたストッパ７１４，８１４が、サイドガイド５，６に挟まれた係止部材１０２若しくは被係止部材１０６の先端面に当接することで、係止部材１０２若しくは被係止部材１０６の先方へのズレを規制している。これにより、係止部材１０２若しくは被係止部材１０６の水平方向の位置決めが行われることになる。そして、第１防止部７１５，８１５が、サイドガイド５，６に挟まれた係止部材１０２若しくは被係止部材１０６の先端上面に当接することで、係止部材１０２若しくは被係止部材１０６を押さえ、浮き上がることを防止している。また、第２防止部７１８，８１８はサイドガイド５，６に挟まれた被係止部材１０６の上面に当接することで、浮き上がりを防止している。そして、第１防止部７１５，８１５の先端には、進入方向手前側斜め下方に向けて延出する爪部７１９，８１９が設けられているので、係止部材１０２がずれようとしてもその爪部７１９，８１９が引っかかることになって、係止部材１０２のずれを防止することができる。
ここで、第２防止部７１８，８１８は垂直方向の位置を維持した所定の高さで被係止部材１０６の上面に当接しているので、第２防止部７１８，８１８を昇降させなくとも、被係止部材１０６の浮き上がりを防止することができる。つまり、従来のメカン用補助押さえのような昇降動作を省略したとしても被係止部材１０６に対する押さえが可能となるために、この昇降動作に対応する操作工程を省略できる。したがって、位置決め時の操作工程が簡略化されて、作業効率が高められる。
【００６３】
また、ストッパ７１４，８１４及び第１防止部７１５，８１５が進入方向に対して位置調整自在に設けられているので、係止部材１０２若しくは被係止部材１０６のサイズが変化したとしても、その変化に対応させてストッパ７１４，８１４及び第１防止部７１５，８１５の位置を調整することができる。
そして、ストッパ７１４，８１４及び第１防止部７１５，８１５はサイドガイド５，６に設けられているので、サイドガイド５，６が当接位置から退避位置に退避すれば、ストッパ及び第１防止部も一緒に退避することになる。
【００６４】
また、係止部材１０２若しくは被係止部材１０６の基端部が係止部材用当接部５１６，６１６及び被係止部材用当接部５１７，６１７に当接するので、進入方向に対するずれをより確実に防止することができる。
また、係止部材１０２や被係止部材１０６のサイズにバラツキがあったとしてもストッパ７１４，８１４と係止部材用当接部５１６，６１６との間隔及びストッパ７１４，８１
４と被係止部材用当接部５１７，６１７との間隔を基にしてそのバラツキを目視により確認することができる。これにより、係止部材１０２や被係止部材１０６の位置決めが容易に行われることになり、結果的に作業効率が高められる。
【００６５】
さらに、係止部材用当接部５１６，６１６及び被係止部材用当接部５１７，６１７はサイドガイド５，６に設けられているので、サイドガイド５，６が当接位置から退避位置に退避すれば、係止部材用当接部５１６，６１６及び被係止部材用当接部５１７，６１７も一緒に退避させることができる。
【００６６】
また、係止部材用当接部５１６，６１６及び被係止部材用当接部５１７，６１７の上面に傾斜面５１６ａ，６１６ａ，５１７ａ，６１７ａが設けられているので、係止部材１０２や被係止部材１０６を一対のサイドガイド５，６の間に挿入する際、係止部材１０２や被係止部材１０６は傾斜面５１６ａ，６１６ａ，５１７ａ，６１７ａによって案内される。これにより係止部材１０２や被係止部材１０６が係止部材用当接部５１６，６１６及び被係止部材用当接部５１７，６１７に引っかかることを防止することができる。
【００６７】
なお、本発明は上記実施の形態に限らず適宜変更可能であるのは勿論である。
例えば、本実施形態では、サイドガイド用シリンダ３，４のシリンダロッド３ａ，４ａ移動させることで、一対のサイドガイド５，６の間隔調整を行っていたが、サイドガイド用シリンダ３，４の伸縮量を制御し最長時におけるサイドガイド５，６の位置を異ならせることで、サイドガイド５，６の間隔調整を行うことも可能である。
【図面の簡単な説明】
【００６８】
【図１】本発明の基本形態に係るミシンの位置決めガイド装置の概略構成を表す斜視図である。
【図２】図１の位置決めガイド装置で係止部材が位置決めされた状態を表す上面図である。
【図３】図１の位置決めガイド装置に備わる第１規制部材及び第２規制部材の位置関係を示す側面図である。
【図４】図１の位置決めガイド装置の主制御構成を表すブロック図である。
【図５】図２の位置決めガイド装置に備わるサイドガイドの離間状態を表す上面図である。
【図６】図２の位置決めガイド装置で被係止部材が位置決めされた状態を表す上面図である。
【図７】図２の位置決めガイド装置に備わるサイドガイドの離間状態を表す上面図である。
【図８】図３の第１規制部と係止部材との関係を表す側面図である。
【図９】本実施形態に係る位置決めガイド装置の概略構成を表す斜視図である。
【図１０】図９の位置決めガイド装置に備わる第１規制部材を表す側面図である。
【図１１】図１０の第１規制部材の爪部を表す拡大図である。
【図１２】図９の位置決めガイド装置に備わるサイドガイドを表す斜視図である。
【図１３】メカン及びオカンを表す説明図である。
【図１４】従来の位置決めガイド装置が搭載されたくるみ縫いミシンを表す斜視図である。
【図１５】図９の位置決めガイド装置の一部分を表す拡大図である。
【図１６】図９の位置決めガイド装置に備わる保持板を表す説明図であり、（ａ）はオカン用保持板２１１を表し、（ｂ）はメカン用保持板を表している。
【符号の説明】
【００６９】
１      位置決めガイド装置
５，６      サイドガイド
１０２      係止部材
１０３      ベルトの一端部
１０６      被係止部材
１０７      ベルトの他端部
５１６，６１６      係止部材用当接部
５１６ａ，６１６ａ      傾斜面
５１７，６１７      被係止部材用当接部
５１７ａ，６１７ａ      傾斜面
７１４，８１４      ストッパ
７１５，８１５      第１防止部
７１６，８１６      第２規制部材
７１８，８１８      第２防止部
７１９，８１９      爪部
【図１】
2006314465.tif 000003
【図２】
2006314465.tif 000004
【図３】
2006314465.tif 000005
【図４】
2006314465.tif 000006
【図５】
2006314465.tif 000007
【図６】
2006314465.tif 000008
【図７】
2006314465.tif 000009
【図８】
2006314465.tif 000010
【図９】
2006314465.tif 000011
【図１０】
2006314465.tif 000012
【図１１】
2006314465.tif 000013
【図１２】
2006314465.tif 000014
【図１３】
2006314465.tif 000015
【図１４】
2006314465.tif 000016
【図１５】
2006314465.tif 000017
【図１６】
2006314465.tif 000018